(57)【要約】【目的】プラズマディスプレイにおいて、音響装置を兼ね備え、且つ光学的機能を充実させたマルチメディアに使用するに最適な構造を提供する。【解決手段】面発光型のプラズマディスプレイの前面へ所定の間隔を置いて透明板を設けると共に、該透明板へ振動子を設置して音声出力機能を設けると共に、透明板と発光モジュールの距離を一定にし、透明板と発光モジュールを振動伝達のない状態で設置する。透明板は、剛性を有する構造体で支持されるか、透明板と発光モジュールの間隔距離Ｌとし、空気の動粘性係数ｖ、音速Ｖとした時に、レイノルズ数Ｒｅ＝Ｌ・Ｖ／ｖを一定値以下とすることで、透明板と発光モジュール間に形成される空気層の粘性に起因する振動伝達を防止される。【選択図】　図１
2004140766.tif 000002
【特許請求の範囲】
【請求項１】
面発光型のプラズマディスプレイの前面へ所定の間隔を置いて透明板を設けると共に、該透明板へ振動子を設置して音声出力機能を設けたことを特徴とするプラズマディスプレイの前面構造。
【請求項２】
前記透明板と発光モジュールの距離を一定にすると共に、前記透明板と発光モジュールを振動伝達のない状態で設置することを特徴とする請求項１に記載のプラズマディスプレイの前面構造。
【請求項３】
前記透明板が剛性を有する構造体で支持されることを特徴とする請求項２に記載のプラズマディスプレイの前面構造。
【請求項４】
前記透明板と発光モジュールの間隔距離Ｌとし、空気の動粘性係数ｖ、音速Ｖとした時に、レイノルズ数Ｒｅ＝Ｌ・Ｖ／ｖを一定値以下とすることで、前記透明板と発光モジュール間に形成される空気層の粘性に起因する振動伝達を防止したことを特徴とする請求項２に記載のプラズマディスプレイの前面構造。
【請求項５】
前記透明板と発光モジュール間に形成される空気層の周囲を可撓性の金属製メッシュで被覆することで、電磁波漏洩を防止すると共に空気の流動と熱の放散を確保することを特徴とする請求項２に記載のプラズマディスプレイの前面構造。
【請求項６】
前記透明板と発光モジュール間に形成される空間へ動粘性の低い水素、ヘリウム等を充填してレイノルズ数を低減させることを特徴とする請求項２に記載のプラズマディスプレイの前面構造。
【請求項７】
前記透明板の少なくとも一方の面へは可視光の反射低減処理またはノングレア処理を行うことを特徴とする請求項１に記載のプラズマディスプレイの前面構造。
【請求項８】
前記透明板の中央辺に形成される振動部と、該透明板の振動子の取付部位である加振部の間に支点を設け、該支点を支持端とする梃子の構造とすることで、振動部での振動を増幅し、支持端から外部へ伝達する振動を低減させたことを特徴とする請求項１に記載のプラズマディスプレイの前面構造。
【発明の詳細な説明】
【０００１】
【発明の属する技術分野】
本発明はプラズマディスプレイの前面に用いる、電磁波遮蔽、近赤外線遮断性を有する前面保護フィルターに関するものであり、より詳細には、スピーカ機能を有する多機能型のプラズマディスプレイの前面構造として提供するものである。
【０００２】
【従来の技術】
従来より、ＣＲＴ等のディスレイが広く知られているが、近年では薄型、大画面化の需要に応えるため、フラット型のディスプレイ装置、とりわけ、ガス放電に伴う発光現象を利用したＰＤＰ（Ｐｌａｓｍａ　Ｄｉｓｐｌａｙ　Ｐａｎｅｌ）が注目されている。
【０００３】
【発明が解決しようとする課題】
ところで、このＰＤＰは、２枚のガラス板間に隔成した多数の表示セル内の螢光体を選択的に放電発光させるものであり、フロントガラスとリヤガラス間に隔壁、表示セル、補助セル等が配置され、各表示セルの内壁には赤色螢光体、緑色螢光体、青色螢光体が膜状に設けられる。そして、陰極、表示陽極、補助陽極に印加された電圧による放電でこれらの螢光体が発光する。
【０００４】
そこで、大電流による磁界の発生に伴い電磁波が発生することにより、人体や他の電子機器に影響を与える問題が懸念されており、このため、電磁波遮蔽手段が必要である。また、同時に、これと平行してガス放電に伴う発光特性に起因するものとして、色再現性の向上も大きな課題となっており、具体的には、波長が８５０〜１１００ｎｍの近赤外線を遮断するフィルターが必要とされている。
【０００５】
また、この種のディスプレイにおいては、マルチメディアに使用する場合に、同時に音響装置の必要性が生じることから、本発明は、前記の課題と共に音響装置を兼用するフィルターを実現させることを目的としている。
【０００６】
【課題を解決するための手段】
本発明は、上記の課題を解消するために、面発光型のプラズマディスプレイの前面へ所定の間隔を置いて透明板を設けると共に、該透明板へ振動子を設置して音声出力機能を設けたことを第１の特徴としている。
【０００７】
また、本発明の他の特徴は、透明板と発光モジュールの距離は一定にすると共に、前記透明板と発光モジュールを振動伝達のない状態で設置することを第２の特徴としている。より具体的には、この透明板は、剛性を有する構造体で支持するか、或いは、透明板と発光モジュールの間隔距離Ｌとし、空気の動粘性係数ｖ、音速Ｖとした時に、レイノルズ数Ｒｅ＝Ｌ・Ｖ／ｖを一定値以下とすることで、透明板と発光モジュール間に形成される空気層の粘性に起因する振動伝達を防止される。
【０００８】
また、本発明の他の特徴は、透明板と発光モジュール間に形成される空気層の周囲を可撓性の金属製メッシュで被覆することで、電磁波漏洩を防止すると共に空気の流動と熱の放散を確保し、透明板と発光モジュール間に形成される空間へ動粘性の低い水素、ヘリウム等を充填してレイノルズ数を低減させ、透明板の少なくとも一方の面へは可視光の反射低減処理またはノングレア処理を行い、透明板の中央辺に形成される振動部と、該透明板の振動子の取付部位である加振部の間に支点を設け、該支点を支持端とする梃子の構造とすることで、振動部での振動を増幅し、支持端から外部へ伝達する振動を低減させる。
【０００９】
【発明の実施の形態】
以下、本発明の実施の形態を図面に基づき説明する。
【００１０】
図１乃至図６は、本発明に係わるプラズマディスプレイの取付状態を示す説明図である。
【００１１】
図面の各図に図示の通り、本発明係わるプラズマディスプレイの前面構造は、面発光型のプラズマディスプレイ（ＰＤＰ）１の前面へ所定の間隔を置いて透明板２を設けると共に、該透明板２へ振動子（エキサイタ）３を設置して音声出力機能を設けたことを特徴としている。
【００１２】
前記透明板２は、硝子等から構成される硬質で透明な板状体であり、透明板２は、プラズマディスプレイ１の発光モジュールとの間に一定の距離を設けて、剛性を有する構造体で支持されるか、前記透明板２とプラズマディスプレイ１の発光モジュールの間隔距離Ｌとし、空気の動粘性係数ｖ、音速Ｖとした時に、レイノルズ数Ｒｅ＝Ｌ・Ｖ／ｖを一定値以下とすることで、前記透明板２とプラズマディスプレイ１の発光モジュール間に形成される空気層の粘性に起因する振動伝達を防止することで、透明板２とプラズマディスプレイ１の発光モジュール間を振動伝達のない状態で設置させる。
【００１３】
図１に図示の実施例では、この透明板２の端部に曲げ加工を施し、その端部の内周面側に振動子３を取り付けている。尚、この実施例では、透明板２の端部の曲げ加工により、横方向の容積を縮小し額縁幅を狭くさせたことで、外観意匠を優れたものとしている。また、この構造は、透明板２の中央辺に形成される振動部と、該透明板２の振動子の取付部位である加振部の間に支点を設け、該支点を支持端とする梃子の構造とすることで、振動部での振動を増幅し、支持端から外部へ伝達する振動を低減させたものである。
【００１４】
一方、図２の図示の実施例では、透明板２の端部を曲げずに、振動子３の部分をベゼル４で覆い、デザイン上の出っ張りを少なくして、同様に外観意匠を優れたものとしている。
【００１５】
上記各実施例において、プラズマディスプレイ１の発光モジュールと透明板２の間隔は３ｍｍ〜１０ｍｍとして低音を抑える。これによって低音発生時の保護パネルの振動による映りこみのちらつきを抑える。
【００１６】
また、図３の例の如く、プラズマディスプレイ１の端部で透明板２を緩衝部材６（スポンジ）を介して取り付けることでよりさらに低音を抑え、低音発生時の保護パネルの振動による映りこみのちらつきを抑えることが可能である。
【００１７】
また、図４に図示の如く、ウーハー７を振動子３の部分を取り囲む状態で配置し、プラズマディスプレイ１の放熱板８とベゼル４とで挟み込む方法でほぼ全周に亘り透明板２を固定することによって、プラズマディスプレイ１への直接の振動を与えずに固定する。尚、全周に亘り固定することで放熱板８と透明板２の中は防塵となる。
【００１８】
また、図６に図示の如く、プラズマディスプレイ１の透明導電性電極９の外周（放熱板との電気的接続部）に厚い導体部を設けることで、音の振動発生による磨耗に対して耐久性を図ることが可能である。
【００１９】
本発明に係わる前面構造において、透明板２とプラズマディスプレイ１の発光モジュール間に形成される空気層の周囲は、例えば、可撓性の金属製メッシュで被覆することで、電磁波漏洩を防止することができる。
【００２０】
また、透明板２とプラズマディスプレイ１の発光モジュール間に形成される空間へは動粘性の低い水素、ヘリウム等を充填してレイノルズ数を低減させる。
【００２１】
また、本発明に係わる透明板１の少なくとも一方の面へは可視光の反射低減処理またはノングレア処理を施すことができ、赤外線遮断手段として、酸化亜鉛や酸化インジウムなどの金属酸化物や銀の金属薄膜を多層積層し、近赤外線を遮断することができる。
【００２２】
【発明の効果】
本発明は、上記の如く、大面積のプラズマディスプレイの額縁部分に振動子を取り付ける事で、臨場感のあるサウンドが得られることは勿論のこと、従来の如く、別体で設置していた音響装置が必要ないことから、省スペース・コストダウンが可能となった。また、細部構造においては、プラズマディスプレイのパネルと本体に緩衝材を入れることにより、本体の振動防止と防塵を兼ね備え、プラズマディスプレイの本体の放熱板を利用した取り付けにより、電磁シールドと振動防止を兼ね備えることが可能である。また、額縁後方の空間を利用し、ウーファーを組み込んだので、迫力のある低音出力が可能である等の機能性、外観意匠に優れた有意義な発明である。
【図面の簡単な説明】
【図１】本発明に係わるプラズマディスプレイの取付状態を示す説明図である。
【図２】本発明に係わるプラズマディスプレイの取付状態とその部位を示す説明図である。
【図３】本発明に係わるプラズマディスプレイの取付状態を示す説明図である。
【図４】本発明に係わるプラズマディスプレイの端部構造を示す説明図である。
【図５】本発明に係わるプラズマディスプレイの取付状態を示す説明図である。
【図６】本発明に係わるプラズマディスプレイの説明のための正面図である。
【符号の説明】
１　プラズマディスプレイ
２　透明板
３　振動子
４　ベゼル
５　スペーサ
６　緩衝部材
７　ウーハー
８　放熱板
９　透明導電性電極
１０　接点
【図１】
2004140766.tif 000003
【図２】
2004140766.tif 000004
【図３】
2004140766.tif 000005
【図４】
2004140766.tif 000006
【図５】
2004140766.tif 000007
【図６】
2004140766.tif 000008